(57)【要約】視覚資料を準備するための色選択支援の方法であって、少なくとも色の選択に影響を及ぼす１つのプロファイルと、色に関する１つのレッスンと、１つの色の組み合わせルールと、視覚資料の構造に関する１つの情報とを考慮する。【特許請求の範囲】
【請求項１】
作成者からの電子文書を表示する方法であって、
ｐ．グラフィカル・ユーザ・インターフェースを使用する色彩環の表現と、
ｑ．前記色彩環および色の組み合わせから色に対するユーザの好みを含む作成者プロファイル（１）を保存するステップと、
ｒ．前記閲覧者の期待する色の好みを含む閲覧者プロファイル（２）を保存するステップと、
ｓ．前記電子文書の前記表示制約を含む表現環境プロファイル（４）を保存するステップと、
ｔ．前記プロファイル（１、２、４）に含まれている前記情報間のコヒーレンスの検証およびこの情報の編集と、
ｕ．前記編集された情報の色レッスンのデータベース（１１）を照会するステップと、
ｖ．前記電子文書のプロファイルの開発と、
ｗ．下書きされる前記電子文書の内容の意味解析（７）であって、前記文書の種類、文書の構造、および前記文書内容の意味解釈を含む情報を提供する意味解析と、
ｘ．データベース（２１）に含まれている色配置および組み合わせルールを照会するステップと、
ｙ．対話型グラフィカル・インターフェースを通じた、前記ユーザに準備されている前記電子文書の要素のプロファイルおよび意味情報を満たす色の表現と、
ｚ．色または色の組み合わせのユーザ選択と、
ａａ．前記ユーザの色選択の継続的分析を含む機械学習を通じて前記作成者プロファイル（１）を更新するステップと、
ｂｂ．前記環境プロファイル（４）に含まれている前記表示制約を用いた前記電子文書の全体にわたり前記ユーザによって選択された前記色および色の組み合わせのコヒーレンスの検証と、
ｃｃ．前記データベース（２１）に含まれている前記配置および組み合わせルールを用いた前記電子文書の全体にわたり前記ユーザによって選択された前記色および色の組み合わせのコヒーレンスの検証と、
ｄｄ．前記作成者の電子文書の前記閲覧者への表示と
を含む方法。
【請求項２】
前記プロファイル（１、２、４）に含まれている前記情報間の一貫性の検証を含むステップは、表現許可制約（５）を用いた一貫性の検証を含む請求項１に記載の方法。
【請求項３】
請求項１または２に記載の方法を実施するための作成者の電子文書に対する表示補助であって、
ａ．色レッスンのデータベース（１１）と、
ｂ．色配置および組み合わせルールのデータベース（２１）と、
ｃ．対話型グラフィカル・インターフェースと、
ｄ．プロファイル（１、２、４、５）に含まれている前記情報間のコヒーレンスを検証し、前記プロファイル（１、２、４、５）に含まれている前記情報を編集し、前記レッスンのデータベース（１１）を照会し、前記電子文書のプロファイルを準備するための合成モジュール（１０）と、
ｅ．下書きされる前記電子文書の前記内容の意味構造分析器（７）であって、前記文書の種類、文書の構造、および前記文書内容の意味解釈を含む情報を提供する構造の分析器と、
ｆ．前記データベース（２１）に含まれている前記プロファイル（１、２、４、５）、ならびに色配置および組み合わせルールに一致する色を提案するアドバイザー（２０）と、
ｇ．前記色の前記コヒーレンスまたは前記プロファイル（１、２、４、５）との色の組み合わせ検証するためのモジュール（４０）と
を含む表示補助。
【請求項４】
メモリ媒体に実装されるコンピュータ・プログラム製品であって、コンピュータ処理ユニット内に実装することができ、請求項１または２に記載の方法を実施するための命令を含むコンピュータ・プログラム製品。
【発明の詳細な説明】
【技術分野】
【０００１】
本発明はコンピュータ表現リソースの技術分野に関する。
【背景技術】
【０００２】
ここで、「コンピュータ表現リソース」は、任意のコンピュータ・プログラム製品を指しており、この支援によって、ユーザは、視覚資料、または、より一般的には、情報の受け手に視覚的に示すことができる電子文書もしくはコンピュータ・データを作ることができる。Ｍｉｃｒｏｓｏｆｔ  Ｏｆｆｉｃｅ  Ｗｏｒｄ（商標）、Ｍｉｃｒｏｓｏｆｔ  Ｏｆｆｉｃｅ  ＰｏｗｅｒＰｏｉｎｔ（商標）、ＯｐｅｎＯｆｆｉｃｅ（商標）、Ｋｅｙｎｏｔｅ（商標）、ＫＰｒｅｓｅｎｔｅｒ、Ａｄｏｂｅ  Ｆｌａｓｈ（商標）、Ａｄｏｂｅ  Ｄｒｅａｍｗｅａｖｅｒ（商標）、およびＬＡＴＥＸ（Ｂｅａｍｅｒ）は、コンピュータ表現リソースの例である。
【０００３】
これらのコンピュータ表現リソースのほとんどでは、ユーザがカスタマイズできるテンプレートが提供され、または新しいテンプレートを設計する可能性さえも提供される。これを行うために、コンピュータ表現リソースは、レイアウト、フォーマット、および一連のツール（描画、グラフィック、表、フローチャート、およびマルチメディアオブジェクト）など、表現テンプレートを研究するための手段をユーザに提供する。
【０００４】
特に、これらのコンピュータ表現リソースは、事前に定義された幅広い色の選択肢（カラー・パレット、カラー・コード、質感、およびパターン）、および多数のカラー機能（明るさ上昇、混合、色付け、輝度上昇、暗さ上昇、およびコントラスト）を提供することで、カスタマイズされた色の組を作成できるようになる。
【０００５】
しかし、色を賢明に選択することは、適切な電子文書を作成するための重要かつ複雑な問題である。実際に、色は単に人間が視覚的に認識するための手段ではない。色は、視覚資料の内容の理解、記憶、割り当て、明瞭さ、および評価の手段でもある。
【０００６】
色の選択が複数なのは、次のような複数のパラメータに依存しているためである。
−  電子文書の視覚情報の受け手の文化。実際に、一般的に、色の解釈は、文化によって異なる感情または象徴に対応している。例を挙げると、赤色は、一般的にインドの文化では純潔、ヨーロッパの文化では危険、中国の文化では幸運、および日本の文化では生命を象徴している。また、白色は、ヨーロッパの文化では平和、インドの文化では悲しみ、および中国の文化では死を表している。
−  電子文書の作成者の好み／趣味（好み、年齢、性別）。
−  内容の一般的な主題（農業、自動車産業、スポーツ、健康）および表現の内容／目的（商用、科学、学問）。
−  特定のグラフィック利用許可による制約（商標の色、企業の表現テンプレート（ｃｏｒｐｏｒａｔｅ  ｐｒｅｓｅｎｔａｔｉｏｎ  ｔｅｍｐｌａｔｅ））。
−  表現環境（表現サイトの表現方法、照明、および寸法）。
【０００７】
さらに、色は、電子文書の全体で首尾一貫して使用する必要がある（コントラスト、調和）。
【発明の概要】
【発明が解決しようとする課題】
【０００８】
本発明の目的の１つは、色選択補助を提案することである。
【０００９】
本発明の他の目的は、電子文書に存在する色の調和を検証する手段を提案することである。
【００１０】
本発明の他の目的は、色を電子文書の基本的な人間工学ルールの１つとして見なすことである。
【課題を解決するための手段】
【００１１】
これを受けて、本発明は、第１の態様によると、
ａ．グラフィカル・ユーザ・インターフェースを使用する色彩環の表現と、
ｂ．色彩環および色の組み合わせから色に対するユーザの好みを含む作成者プロファイル（１）を保存することと、
ｃ．閲覧者の期待する色の好みを含む閲覧者プロファイル（２）を保存することと、
ｄ．電子文書の表示制約を含む表現環境プロファイル（４）を保存することと、
ｅ．プロファイル（１、２、４）に含まれている情報間のコヒーレンスの検証およびこの情報の編集と、
ｆ．編集された情報の色レッスン（ｃｏｌｏｕｒ  ｌｅｓｓｏｎ）のデータベース（１１）を照会することと、
ｇ．電子文書のプロファイルの開発と、
ｈ．下書きされる電子文書の内容の意味解析（７）であって、文書の種類、文書の構造、および文書内容の意味解釈を含む情報を提供する意味解析と、
ｉ．データベース（２１）に含まれている色配置および組み合わせルールを照会することと、
ｊ．現在の電子文書の要素のプロファイルおよび意味情報を満たす色の対話型グラフィカル・インターフェースを通じたユーザへの表現と、
ｋ．色または色の組み合わせのユーザ選択と、
ｌ．ユーザの色選択の継続的分析を含む機械学習を通じて作成者プロファイル（１）を更新することと、
ｍ．環境プロファイル（４）に含まれている表示制約を用いた電子文書の全体にわたりユーザによって選択された色および色の組み合わせのコヒーレンスの検証と、
ｎ．データベース（２１）に含まれている配置および組み合わせを用いた電子文書の全体にわたりユーザによって選択された色および色の組み合わせのコヒーレンスの検証と、
ｏ．作成者の電子文書の閲覧者への表示と
を含む電子文書を作成者から閲覧者に表示する方法を提案する。
【００１２】
本発明は、第２の態様によると、請求項１または２に記載の方法を実施するための作成者の電子文書に対する表示補助を提案し、この補助は、
ａ．色レッスンのデータベース（１１）と、
ｂ．色配置および組み合わせルールのデータベース（２１）と、
ｃ．対話型グラフィカル・インターフェースと、
ｄ．プロファイル（１、２、４、５）に含まれている情報間のコヒーレンスを検証し、プロファイル（１、２、４、５）に含まれている情報を編集し、情報データベース（１１）を照会し、電子文書のプロファイルを準備するための合成モジュール（１０）と、
ｅ．現在の電子文書の内容に対する意味構造分析器（７）であって、文書の種類、文書の構造、および文書内容の意味解釈を含む情報を提供する構造の分析器と、
ｆ．データベース（２１）に含まれているプロファイル（１、２、４、５）、ならびに色配置および組み合わせルールに一致する色を提案するアドバイザー（２０）と、
ｇ．色のコヒーレンスまたはプロファイル（１、２、４、５）との色の組み合わせを検証するためのモジュール（４０）と
を含む。
【００１３】
有利なことに、色選択補助は、また、電子文書の全体にわたり使用される色の一貫性を検証するためのモジュールも含む。
【００１４】
第３の態様によると、本発明は、メモリ媒体に実装されるコンピュータ・プログラム製品を提案し、これは情報処理装置内に実装することができ、上に要約した方法を実施するための命令を含む。
【００１５】
本発明の他の特性および利点は、一実施形態に従って色選択補助のモジュールの機能を図示した図１に関して、以下に示す好適な実施形態の説明を読んだ後に、より具体的かつより明確になるだろう。
【図面の簡単な説明】
【００１６】
【図１】本発明の実施形態の色選択補助のモジュールの機能を示す。
【発明を実施するための形態】
【００１７】
特に、コンピュータ表現リソースに取り付けることができる機能モジュールを通じて、電子文書を準備するときにユーザの色選択に関する支援が提供される。
【００１８】
これらのモジュールは、
−  色選択に関与する様々なパラメータを特徴づける様々なプロファイルと、
−  色に関する１組のレッスンと、
−  ユーザが変更する電子文書に関する情報と、
−  それに利用可能な情報をすべて編集し、ユーザに送信するために、その情報から推薦を推定することを担当する色アドバイザーと、
−  推薦された色についてユーザに通知し、使用される色の一貫性を検証し、色アドバイザーによって使用される特定の情報を変更するための様々な対話型グラフィカル・インターフェースと
を含む。
【００１９】
電子文書は、情報の受け手に視覚的に提示されるように設計された任意の文書、言いかえれば視覚資料であることに注意するべきである。例えば、電子文書は、ウェブ・サイト、ポスター、プレゼンテーション、またはレポートの場合がある。特に、電子文書は、世界中の複数の地域からアクセス可能に設計されたウェブ・サイトの場合がある（例えば商用ウェブ・サイト）。
【００２０】
図１を参照すると、色選択に影響を及ぼすパラメータは、
−  電子文書の作成者プロファイル１と、
−  電子文書の閲覧者プロファイル２と、
−  表現のための主題プロファイル３と、
−  表現環境４に関連する制約と、
−  潜在的な表現許可５に関連する制約と
を含む。
【００２１】
作成者プロファイル１は、作成者に送信される色選択の推薦について、電子文書の作成者の色および色の組み合わせの好み／趣味を考慮するのに役立つ。
【００２２】
作成者プロファイル１の内容は、ユーザによって確立され、色選択ステップを含む毎日のユーザとの対話を継続的に分析することによって、ユーザの好みの機械学習を含むステップを使用して、時間の経過に伴い更新することができる。
【００２３】
例えば、グラフィカル・ユーザ・インターフェースを通じて、
−  彼または彼女の好みに従って色彩環の色を指示することと、
−  色彩環の色に注意することと、
−  色にラベル付けすることと（例えば、「お気に入りの色」、「好きでも嫌いでもない色」、「嫌いな色」）、
−  色を比較することと（例えば、「私は赤色より青色が好き」）、
−  色の種類を比較することと（例えば、「私は暗い色が好き」、「私は明るい色が好き」、「私は明るい色が嫌い」）、
−  特定の色の組み合わせに関する好みを提供することと（「私は青／オレンジの組み合わせが好き」、「私は赤／黄色／マジェンタの組み合わせが嫌い」）、
−  色に関して彼または彼女の気持ちを特定することと（例えば、力強さ、几帳面、愛、悲しみ、冷静、安全）、
をユーザに依頼できる。
【００２４】
作成者プロファイル１は、また、年齢、性別、または住居の地域など、ユーザに関する他の情報を含むことができる。特に、この情報は、ユーザの色の好みをよりよく理解するのに役立つ可能性がある（例えば、子どもは鮮やかな色が好きな可能性があり、男性は暗い色が好きな可能性があり、女性は明るい色が好きな可能性がある）。
【００２５】
ユーザによって提供される情報、および色を含むユーザとの対話から推定される情報（機械学習）を使用して、作成者プロファイル１は、電子文書の作成者の色の好みおよび傾向（スタイル効果）の更新されたビューを集中化することを担当する。
【００２６】
有利なことに、このように確立された作成者プロファイル１によると、ユーザが好きでない色は、色選択補助によって推薦される色のリストに記載される見込みがほとんどない。
【００２７】
有利なことに、機械学習ステップは、過去の対話時にユーザによって行われた色選択を使用するが（図１の矢印３１）、作成者プロファイル１を自動的に更新することを可能にする。
【００２８】
さらに、電子文書の閲覧者プロファイル２は、電子文書の表現について、視覚情報の受け手の好みを合成することを担当する。実際に、色、それらの混合、および組み合わせは、情報の受け手によって、異なる感情、気持ち、および象徴を呼び起こす可能性がある。色または色の関連の解釈は、閲覧者の認知過程に関わるため、
−  喜び、悲しみ、または怒りなどの感情を引き起こす、または
−  象徴または商標を明らかにする
ことが可能になり、提示されている電子文書に対する情報の受け手の間の願望を刺激するかもしれないし、またはしないかもしれない。例えば、この願望は、ウェブ・サイトの場合には、商品の購入によって明らかになるかもしれないし、またはＭｉｃｒｏｓｏｆｔ  ＰｏｗｅｒＰｏｉｎｔ（商標）プレゼンテーションの場合には、関心によって明らかになるかもしれない。
【００２９】
色に対するこれらの感情／反応は、特に、
−  情報の受け手の文化（例えば、地域、信条、または歴史）、および
−  情報の受け手の人口統計データ（例えば、男性／女性、赤ん坊／子ども／大人、視覚能力：赤緑色盲／視覚問題、または社会的／知的水準）
によって、異なるように理解される。
【００３０】
例を挙げると、赤色は、インドの文化では純潔、ヨーロッパの文化では危険、中国の文化では幸運、および日本の文化では生命を象徴している。また、白色は、ヨーロッパの文化では平和、インドの文化では悲しみ、および中国の文化では死を表している。
【００３１】
これを行うために、文書の作成者は、電子文書の閲覧者プロファイル２を作成するのに必要な情報および人口統計データを提供するように依頼される。
【００３２】
さらに、表現の効率を最適化するために、電子文書の作成者は、視覚資料の主題プロファイル３について、表現の主題に関する情報を提供するべきである。例を挙げると、ユーザは、キーワード、電子文書の話題または内容（商用、教育、情報）、活動分野（例えば、産業、研究開発、芸術、生態学）、および表現の種類（専門家／アマチュア、簡単／複雑）を定義するように依頼される可能性がある。実際に、主題プロファイル３は、技術部門または自動車分野を引き起こすことができる明るい色、または環境分野を表す可能性がある緑色など、特定の色パレットを求めるのが好ましい。
【００３３】
電子文書の様々な表現条件を考慮するために、表現環境プロファイル４は、電子文書の表現環境に関連する制約を指定できるようにする。これらの制約は、例えば、
−  表現環境の明度と、
−  この文書の表現の手段（ユーザ端末画面、ビデオ・プロジェクター（ＬＣＤ、ＬＣＯＳ、ＤＬＰ／ＤＭＤ、レーザー）、映写スクリーン）と、
−  表現環境の寸法（色を明確に識別できない場所／距離）
を含む。
【００３４】
例えば、表現環境プロファイル４は、プレゼンテーション室の明度に色を適応させるのを支援することができる。ユーザが照明を完全に制御できる部屋においては、暗い背景および明るい色のテキストが推薦され、これに対して、たくさんの自然光を得られる部屋では、明るい背景および暗いテキストがユーザに推薦される。
【００３５】
事前に定義されたグラフィックに関する許可（例えば企業の表現テンプレート）に一致させるために、表現許可５は、色および／または色の組み合わせの使用に関連する制約を集中化する（必要な色または色の組み合わせ、禁止される色または色の組み合わせ、必要な背景色、推薦される色合い、または使用されるテンプレート）。
【００３６】
合成モジュール１０は、作成者プロファイル１、閲覧者プロファイル２、主題プロファイル３、表現環境プロファイル４、および許可制約５から利用可能な情報を要約する。
【００３７】
特に、合成モジュール１０は、
−  作成者プロファイル１、閲覧者プロファイル２、主題プロファイル３、表現環境プロファイル４、および表現許可制約５にある情報間でコヒーレンスを検証することと、
−  この情報を合成（編集）することと、
−  合成された情報に関する色についてレッスンのデータベース１１に照会することと、
−  結果として色アドバイザー２０に送信するために電子文書のプロファイルを準備することと
を可能にする。
【００３８】
作成者プロファイル１、閲覧者プロファイル２、主題プロファイル３、表現環境プロファイル４、および表現許可制約５から回復された情報の不整合性については、合成モジュール１０がユーザに通知し、決定を下すように彼または彼女に依頼することに注意されたい。
【００３９】
色レッスンのデータベース１１は、色または色の組み合わせに関する関連する効果、象徴、または解釈を集中化する。例を挙げると、
−  赤橙色は活力の源であり、緑色は安心感を与え、ピンク色は陽気な気持ちを与える。
−  緑色は、アジアの文化では繁栄を象徴し、赤色は、インドの文化では純潔を象徴する。
−  暗いテキスト色は、一般的に集中を促進する。
【００４０】
色選択補助は、また電子文書構造分析器７も含む。この構造分析器７は、現在の電子文書の内容に関する意味情報をアドバイザー２０に返す。この情報は、以下を含む。
−  電子文書の種類。限定を意図せずに例を挙げると、ウェブ・サイト、プレゼンテーション、草稿、レポート、広告、ポスター、発表文、または議事録がある。
−  文書構造。限定を意図せずに例を挙げると、本文、タイトル、結論、見出し行（ｌｅａｄ  ｌｉｎｅ）、背景、グラフ、ボタン、メニューがある。
−  電子文書の内容の意味解釈。限定を意図せずに例を挙げると、「重要」、「注意」、「確認」、「結論」、または「機密」という単語が文書で使用される場合、レッスンのデータベース１１から少なくとも１つのレッスンおよび／または色の組み合わせルールのデータベース２１から１つのルールが、これらの単語に関連することになる。例えば、赤色は「機密」という単語と関連している可能性がある。
【００４１】
色の組み合わせルールのデータベース２１は、色配置および組み合わせルールを含む。色の組み合わせルールの例として、次を挙げることができる。
−  補色は、それらの間で対照をなす（情報の受け手を導くために動的作用を作り出す）。
−  同系色は、情報の受け手において調和と統合の気持ちを引き起こす。
−  背景色および電子的な前景の高度なコントラストは、その明瞭性を改善する。
−  シンプルな文書においては、テキストには３色未満、背景色には１色を使用するべきである。
−  複数の背景色を使用する場合、補色ではなく同系色を使用することが好ましい。
−  透明度の高い色を使用する場合、他の色に圧倒されないことを確認することが重要であり、必要な場合は、透明度のレベルを調整することが重要である（０％から１００％まで）。
−  黒と白を組み合わせると、特定のレイアウトを使用して、体積の認識（ｐｅｒｃｅｐｔｉｏｎ  ｏｆ  ｖｏｌｕｍｅ）を変えることができる。
−  赤と黒を組み合わせると、電子文書の内容の記憶が改善される。
−  明るい背景と暗い写真、暗い背景と明るい写真を使用するべきである。
【００４２】
さらに、色選択補助は、色アドバイザー２０を含む。この色アドバイザー２０は、適切な色をユーザに提案することを担当する。最初に、以下に従って、現在の電子文書に関連しない色が削除される。
−  合成モジュール１０によって提供された現在の文書のプロファイル、
−  色レッスンのデータベース１１、
−  色の組み合わせルールのデータベース２１、および
−  文書構造分析器７。
【００４３】
例を挙げると、ユーザが文書において「力強さ」を描きたい場合（文書の主題プロファイル３によって提供される情報）、色アドバイザー２０は、白色およびピンク色を削除する。色レッスンのデータベース１１に従うと、この状況では紫がより適切である。色アドバイザー２０は、例えば、構造の分析器７または色の組み合わせルールのデータベース２１から返された情報に従って、この第１の決定を継続的に見直す。
【００４４】
色の組み合わせルール、色レッスン、文書の構造、および合成モジュール１０によって提供される文書プロファイルに基づいて、色アドバイザー２０は、色の組み合わせおよび配置の点から、電子文書のすべての要素（形、面、背景、テキスト、図、および表）に適切な色を選択する。
【００４５】
言いかえると、色アドバイザー２０は、現在の電子文書に関して、利用可能なすべての情報を編集（適合）することを可能にする。次に、結果は、対話型グラフィカル・ユーザ・インターフェース３０を通じてユーザに推薦される。
【００４６】
対話型グラフィカル・ユーザ・インターフェース３０は、色アドバイザー２０によって推薦された色または色の組み合わせ／配置を自動的にユーザに中継する。ユーザが複数の色の中から決定しない場合、色アドバイザー２０は、適切な色の制限されたリストを提案することができる。各色の推薦は、色アドバイザー２０によって正当化されている。
【００４７】
ユーザは、将来的に使用するために、色アドバイザー２０によって推薦された色の組み合わせを保存および／または名前を変更することができる。
【００４８】
ユーザは、彼または彼女の電子文書の要素の意味を示すことによって（本文、タイトル、円、または図の重要な要素）、または色レッスンのデータベース１１の内容をカスタマイズすることによって、色アドバイザー２０の妥当性を改善することができる。
【００４９】
グラフィカル・ユーザ・インターフェース３０は、また、使用される色の間における色の競合についてユーザに通知するために使用される（例えば、「この色の組み合わせは競合他社を示すため、表現許可５によって禁止されている。」など）。
【００５０】
あるいは、色アドバイザー２０に推薦された色は、グラフィカル・ユーザ・インターフェース３０を通じて提案されることなく、電子文書の様々な要素に自動的に適用することができる。
【００５１】
色選択補助は、また、電子文書の全体にわたり使用される色または色の組み合わせの一貫性を検証するために、ユーザが実装できるモジュール４０を提案する。
【００５２】
検証モジュール４０は、表現環境プロファイル４および表現許可５からの制約を用いて、使用される色の一貫性を検証することを可能にする。競合が特定されると、ユーザは、色／色の組み合わせを見直し、場合によっては変更するように依頼される。
【００５３】
検証モジュール４０は、また、電子文書の全体にわたり使用される色の間での一貫性およびコントラストを検証することを可能にする。
【００５４】
記述した色選択支援のための方法およびシステムは、特に商用ウェブ・サイト、Ｅラーニング・ウェブ・サイトの設計、視覚資料の準備（例えば、ポスターまたはＰｏｗｅｒＰｏｉｎｔ（商標）プレゼンテーション）、またはより一般的に、後に印刷できる電子文書（新聞またはマガジンなど）に適用することができる。
【図１】
2013511786.tif 000002